(57)【要約】【課題】端末からの通信が中継端末を介して行われる際に、中継端末の情報を通知できる情報処理システムを提供する。【解決手段】第１端末を認証し、前記第１端末にネットワークにおけるアドレスを割り当てる認証手段と、前記認証手段で認証された前記第１端末を介して前記ネットワークに接続される第２端末から、商品又は役務を電子的に購入できる所定の電子商取引サイトに関するサイトへのリンクを含むコンテンツ情報の要求を受けた場合、前記第１端末の利用者に関する情報を前記リンクに含むコンテンツ情報を作成し、前記コンテンツ情報を前記第２端末に送信する作成手段と、を備える情報処理システムとする。【選択図】図２
2016071404.tif 000002
【特許請求の範囲】
【請求項１】
第１端末を認証し、前記第１端末にネットワークにおけるアドレスを割り当てる認証手段と、
前記認証手段で認証された前記第１端末を介して前記アドレスを使用して前記ネットワークに接続される第２端末からコンテンツ情報の要求を受けた場合、商品又は役務を電子的に購入できる所定の電子商取引サイトに関するサイトへのリンクであって前記第１端末の利用者に関する情報を含む前記リンクを含むコンテンツ情報を作成し、前記コンテンツ情報を前記第２端末に送信する作成手段と、
を備える情報処理システム。
【請求項２】
前記第１端末に割り当てられた前記ネットワークにおけるアドレスを前記第１端末の利用者の第１識別子と対応付けて記憶し、前記第１端末の利用者の前記第１識別子と前記第１端末の利用者に対応し前記電子商取引サイトに関するサイトで使用される第２識別子とを対応付けて記憶する記憶手段を備え、
前記作成手段は、前記第２端末からの前記要求を受けた場合、前記アドレスを取得し、前記記憶手段から前記アドレスに対応付けられる前記第１識別子を取得し、前記記憶手段から前記第１識別子に対応付けられる前記第２識別子を取得し、
前記第１端末の利用者に関する情報は、前記第２識別子である
請求項１に記載の情報処理システム。
【請求項３】
コンピュータが、
第１端末を認証し、前記第１端末にネットワークにおけるアドレスを割り当て、
認証された前記第１端末を介して前記アドレスを使用して前記ネットワークに接続される第２端末からコンテンツ情報の要求を受けた場合、商品又は役務を電子的に購入できる所定の電子商取引サイトに関するサイトへのリンクであって前記第１端末の利用者に関する情報を含む前記リンクを含むコンテンツ情報を作成し、前記コンテンツ情報を前記第２端末に送信する
ことを実行する情報処理方法。
【請求項４】
前記コンピュータが、
前記第１端末に割り当てられた前記ネットワークにおけるアドレスを前記第１端末の利用者の第１識別子と対応付けて記憶し、前記第１端末の利用者の前記第１識別子と前記第１端末の利用者に対応し前記電子商取引サイトに関するサイトで使用される第２識別子とを対応付けて記憶し、
前記第２端末からの前記要求を受けた場合、前記アドレスを取得し、前記記憶手段から前記アドレスに対応付けられる前記第１識別子を取得し、前記記憶手段から前記第１識別子に対応付けられる前記第２識別子を取得する
ことを実行し、
前記第１端末の利用者に関する情報は、前記第２識別子である
請求項３に記載の情報処理方法。
【請求項５】
コンピュータに、
第１端末を認証し、前記第１端末にネットワークにおけるアドレスを割り当て、
認証された前記第１端末を介して前記アドレスを使用して前記ネットワークに接続される第２端末からコンテンツ情報の要求を受けた場合、商品又は役務を電子的に購入できる所定の電子商取引サイトに関するサイトへのリンクであって前記第１端末の利用者に関する情報を含む前記リンクを含むコンテンツ情報を作成し、前記コンテンツ情報を前記第２端末に送信する
ことを実行させる情報処理プログラム。
【請求項６】
前記コンピュータに、
前記第１端末に割り当てられた前記ネットワークにおけるアドレスを前記第１端末の利用者の第１識別子と対応付けて記憶し、前記第１端末の利用者の前記第１識別子と前記第１端末の利用者に対応し前記電子商取引サイトに関するサイトで使用される第２識別子とを対応付けて記憶し、
前記第２端末からの前記要求を受けた場合、前記アドレスを取得し、前記記憶手段から前記アドレスに対応付けられる前記第１識別子を取得し、前記記憶手段から前記第１識別子に対応付けられる前記第２識別子を取得する
ことを実行させ、
前記第１端末の利用者に関する情報は、前記第２識別子である
請求項５に記載の情報処理プログラム。
【発明の詳細な説明】
【技術分野】
【０００１】
本発明は、情報処理システム、情報処理方法、および、情報処理プログラムに関する。
【背景技術】
【０００２】
インターネット上には、商品等（商品または役務）を電子的に購入できる電子商取引サイト（ＥＣ(Electronic Commerce)サイト）が、数多く存在する。各ＥＣサイトでは、顧
客を増やし、売上を伸ばすために、ＥＣサイトへのアクセスを増大することが求められる。ＥＣサイトへのアクセスを増大するために、例えば、広告が用いられている。インターネット上の電子商取引に関する広告提供手段として、アフィリエイトサービスがある。
【０００３】
アフィリエイトサービスは、ＥＣサイトの広告を広告掲載者のウェブサイトに掲載し、このウェブサイトにアクセスしたユーザが自身の端末等で広告をクリックしたときに、ユーザの端末がＥＣサイトに接続され、ユーザによる商品等の購入などの成果が発生した場合に、広告掲載者に成功報酬の支払いを行うサービスである。
【０００４】
アフィリエイトサービスは、ＥＣサイトではなく、アフィリエイトサービスプロバイダによって提供される場合もある。アフィリエイトサービスプロバイダは、ＥＣサイト等の広告主から依頼されて、ウェブサイトの運営者に広告掲載を依頼し、当該ウェブサイトを介した商品等の購入などの成果が発生した場合にＥＣサイト等から報酬を受け取り、ウェブサイトの運営者に報酬を支払う。
【０００５】
一方、携帯端末等がネットワークにアクセスする際に、他の携帯端末等（ここでは、中継端末という）におけるテザリングと呼ばれるサービスを使用することがある。テザリングサービスは、中継端末をルータやアクセスポイントのように使用して、携帯端末等をネットワークに接続するサービスである。携帯端末等が、中継端末のテザリングサービスを使用することで、中継端末を経由してネットワークにアクセスすることができる。
【先行技術文献】
【特許文献】
【０００６】
【特許文献１】特開２０１１−１８７０５８号公報
【発明の概要】
【発明が解決しようとする課題】
【０００７】
携帯端末等が中継端末を経由してネットワークにアクセスしている場合に、携帯端末等のユーザがＥＣサイトへのリンクを埋め込んだウェブページを閲覧して当該ＥＣサイトにて商品購入をする際のアフィリエイトサービスによる報酬を、中継端末のユーザに対して支払いたいというニーズがある。しかしながら、ＥＣサイト側では、携帯端末のユーザと取引をすることになるため、携帯端末のユーザの情報を取得することは容易であるが、中継端末の情報を取得することは困難であり、中継端末のユーザに対して報酬を支払うことは難しい。
【０００８】
本発明は、端末からの通信が中継端末を介して行われる際に、中継端末の情報を通知できる情報処理システムを提供することを課題とする。
【課題を解決するための手段】
【０００９】
開示の技術は、上記課題を解決するために、以下の手段を採用する。
即ち、第１の態様は、
第１端末を認証し、前記第１端末にネットワークにおけるアドレスを割り当てる認証手段と、
前記認証手段で認証された前記第１端末を介して前記アドレスを使用して前記ネットワークに接続される第２端末から、商品又は役務を電子的に購入できる所定の電子商取引サイトに関するサイトへのリンクを含むコンテンツ情報の要求を受けた場合、前記第１端末の利用者に関する情報を前記リンクに含むコンテンツ情報を作成し、前記コンテンツ情報を前記第２端末に送信する作成手段と、
を備える情報処理システムである。
【００１０】
第１の態様によると、情報処理システムは、第１端末を介してネットワークに接続される第２端末に、第１端末の利用者に関する情報を含む電子商取引サイトに関するサイトへのリンクを含む情報を、第２端末に送信することができる。
【００１１】
第２の態様は、さらに、
前記第１端末に割り当てた前記ネットワークにおけるアドレスを前記第１端末の利用者の第１識別子と対応付けて記憶し、前記第１端末の利用者の前記第１識別子と前記第１端末の利用者に対応し前記電子商取引サイトに関するサイトで使用される第２識別子とを対応付けて記憶する記憶手段を備え、
前記作成手段は、前記第２端末からの前記要求を受けた場合、前記アドレスを取得し、前記記憶手段から前記アドレスに対応付けられる前記第１識別子を取得し、前記記憶手段から前記第１識別子に対応付けられる前記第２識別子を取得し、
前記第１端末の利用者に関する情報は、前記第２識別子である
情報処理システムである。
【００１２】
第２の態様によると、第１端末の利用者に対応し電子商取引サイトに関するサイトで使用される第２識別子を含む電子商取引サイトに関するサイトへのリンクを含むコンテンツ情報を、第２端末に送信することができる。
【００１３】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。開示の構成は、上記した各手段が実行する処理を行う情報処理装置を含むシステムとして特定されてもよい。
【発明の効果】
【００１４】
本発明によれば、端末からの通信が中継端末を介して行われる際に、中継端末の情報を通知できる情報処理システムを提供することができる。
【図面の簡単な説明】
【００１５】
【図１】図１は、実施形態のシステム構成例を示す図である。
【図２】図２は、ユーザ管理装置の構成例を示す図である。
【図３】図３は、情報処理装置のハードウェア構成例を示す図である。
【図４】図４は、本実施形態の認証についての動作シーケンスの例を示す図である。
【図５】図５は、ユーザ情報テーブルの例を示す図である。
【図６】図６は、ＩＰアドレス管理テーブルの例を示す図である。
【図７】図７は、本実施形態のＥＣサイトへのアクセスの動作シーケンスの例（１／２）を示す図である。
【図８】図８は、本実施形態のＥＣサイトへのアクセスの動作シーケンスの例（２／２）を示す図である。
【図９】図９は、アフィリエイト識別子管理テーブルの例を示す図である。
【図１０】図１０は、報酬額管理テーブルの例を示す図である。
【発明を実施するための形態】
【００１６】
以下、図面を参照して実施形態について説明する。実施形態の構成は例示であり、開示の構成は、開示の実施形態の具体的構成に限定されない。開示の構成の実施にあたって、実施形態に応じた具体的構成が適宜採用されてもよい。
【００１７】
〔実施形態〕
（構成例）
図１は、本実施形態のシステム構成例を示す図である。本実施形態のシステム１０は、ユーザ管理装置１００、中継端末２００、端末３００、ＥＣサイトサーバ４００、ネットワーク５００を含む。中継端末２００、端末３００、ＥＣサイトサーバ４００は、それぞれ、ネットワーク５００に通信可能に接続される。端末３００は、中継端末２００を介して、ネットワーク５００に接続される。
【００１８】
ユーザ管理装置１００は、中継端末２００のユーザを管理する。中継端末２００は、ユーザ管理装置２００にアクセスして、ユーザ認証を受けて、ＩＰアドレスを割り当てられることにより、ネットワークに接続することができる。
【００１９】
中継端末２００は、ユーザ管理装置１００に認証要求をして、ユーザ管理装置１００からＩＰアドレスを割り当てられる。中継端末２００は、端末３００のネットワークへの接続を中継する。中継端末２００と端末３００との間は、無線ＬＡＮ、短距離無線通信、有線ケーブルなどにより、相互に通信可能に接続される。
【００２０】
端末３００は、中継端末２００を介して、ネットワークに接続される。端末３００と中継端末２００との接続が確立した後、端末３００は、中継端末２００の存在を意識することなくネットワークに接続される。
【００２１】
ＥＣサイトサーバ４００は、コンテンツ情報に含まれるリンクのリンク先のページを提供するサーバである。ＥＣサイトサーバ４００は、端末３００のユーザ等の顧客に対し、電子商取引サイト（ＥＣサイト）を提供する。
【００２２】
図２は、ユーザ管理装置の構成例を示す図である。ユーザ管理装置１００は、認証部１１０、コンテンツ作成部１２０、アフィリエイト管理部１３０、ユーザ情報ＤＢ１５０、ＩＰアドレス管理ＤＢ１６０、アフィリエイト管理ＤＢ１７０を含む。
【００２３】
認証部１１０は、ユーザによる中継端末２００からのネットワークの接続要求に対して、ユーザの認証を行う。認証部１１０は、ユーザを認証すると、ＩＰアドレスを中継端末２００に割り当てる。認証部１１０は、中継端末２００に割り当てたＩＰアドレスを、ユーザの識別子（ユーザＩＤ）と対応づけて、ＩＰアドレス管理ＤＢ１６０に格納する。
【００２４】
コンテンツ作成部１２０は、端末３００等からのコンテンツ情報の要求を受信する。コンテンツ情報は、ウェブページ等のコンテンツを表示するための情報である。コンテンツ作成部１２０は、端末３００等に対応するアフィリエイト識別子を、アフィリエイト管理部１３０に要求する。コンテンツ作成部１２０は、アフィリエイト管理部１３０から取得したアフィリエイト識別子を含むＥＣサイトへのリンクを含むコンテンツ情報を作成し、端末３００等に送信する。
【００２５】
アフィリエイト管理部１３０は、コンテンツ作成部１２０からのアフィリエイト識別子の要求に対して、アフィリエイト管理ＤＢ１７０から、アフィリエイト識別子を抽出し、コンテンツ作成部１２０に送信する。コンテンツ作成部１２０に、アフィリエイト管理部１３０としての機能が含まれてもよい。
【００２６】
ユーザ情報ＤＢ１５０は、ユーザ情報テーブルＴ１００を格納する。ユーザ情報テーブルＴ１００については、後述する。
【００２７】
ＩＰアドレス管理ＤＢ１６０は、ＩＰアドレス管理テーブルＴ２００を格納する。ＩＰアドレス管理テーブルＴ２００については、後述する。
【００２８】
アフィリエイト管理ＤＢ１７０は、アフィリエイト識別子管理テーブルＴ３００、報酬額管理テーブルＴ４００を格納する。アフィリエイト識別子管理テーブルＴ３００、報酬額管理テーブルＴ４００については、後述する。
【００２９】
ユーザ情報ＤＢ１５０、ＩＰアドレス管理ＤＢ１６０、アフィリエイト管理ＤＢ１７０は、１または複数の記憶手段に格納され得る。当該記憶手段は、ユーザ管理装置１００の内部に設けられても、ユーザ管理装置１００の外部に設けられてもよい。また、各ＤＢは、統合されて１つのＤＢとして存在してもよい。当該記憶手段には、各ＤＢ以外のデータが格納されてもよい。
【００３０】
ユーザ管理装置１００、ＥＣサイトサーバ４００は、ＰＣ（Personal Computer）、ワ
ークステーション（ＷＳ、Work Station）のような専用または汎用のコンピュータ、あるいは、コンピュータを搭載した電子機器を使用して実現可能である。また、中継端末２００、端末３００は、ＰＣ、スマートフォン、携帯電話、タブレット型端末、カーナビゲーション装置、ＰＤＡ（Personal Digital Assistant）のような専用または汎用のコンピュータ、あるいは、コンピュータを搭載した電子機器を使用して実現可能である。
【００３１】
図３は、情報処理装置のハードウェア構成例を示す図である。図３に示す情報処理装置は、一般的なコンピュータの構成を有している。ユーザ管理装置１００、中継端末２００、端末３００、ＥＣサイトサーバ４００は、図３に示すような情報処理装置１０００によって実現される。図３の情報処理装置１０００は、プロセッサ１００２、メモリ１００４、記憶部１００６、入力部１００８、出力部１０１０、通信制御部１０１２を有する。これらは、互いにバスによって接続される。メモリ１００４及び記憶部１００６は、コンピュータ読み取り可能な記録媒体である。情報処理装置のハードウェア構成は、図３に示される例に限らず、適宜構成要素の省略、置換、追加が行われてもよい。
【００３２】
情報処理装置１０００は、プロセッサ１００２が記録媒体に記憶されたプログラムをメモリ１００４の作業領域にロードして実行し、プログラムの実行を通じて各構成部等が制御されることによって、所定の目的に合致した機能を実現することができる。
【００３３】
プロセッサ１００２は、例えば、ＣＰＵ（Central Processing Unit）やＤＳＰ（Digital Signal Processor）である。
【００３４】
メモリ１００４は、例えば、ＲＡＭ（Random Access Memory）やＲＯＭ（Read Only Memory）を含む。メモリ１００４は、主記憶装置とも呼ばれる。
【００３５】
記憶部１００６は、例えば、ＥＰＲＯＭ（Erasable Programmable ROM）、ハードディ
スクドライブ（ＨＤＤ、Hard Disk Drive）、ソリッドステートドライブ（ＳＳＤ、Solid
State Drive）である。また、記憶部１００６は、リムーバブルメディア、即ち可搬記録
媒体を含むことができる。リムーバブルメディアは、例えば、ＵＳＢ（Universal Serial
Bus）メモリ、あるいは、ＣＤ（Compact Disc）やＤＶＤ（Digital Versatile Disc）のようなディスク記録媒体である。記憶部１０６は、二次記憶装置とも呼ばれる。
【００３６】
記憶部１００６は、各種のプログラム、各種のデータ及び各種のテーブルを読み書き自在に記録媒体に格納する。記憶部１００６には、オペレーティングシステム（Operating System :ＯＳ）、各種プログラム、各種テーブル等が格納される。記憶部１００６に格納される情報は、メモリ１００４に格納されてもよい。また、メモリ１００４に格納される情報は、記憶部１００６に格納されてもよい。
【００３７】
オペレーティングシステムは、ソフトウェアとハードウェアとの仲介、メモリ空間の管理、ファイル管理、プロセスやタスクの管理等を行うソフトウェアである。オペレーティングシステムは、通信インタフェースを含む。通信インタフェースは、通信制御部１０１２を介して接続される他の外部装置等とデータのやり取りを行うプログラムである。外部装置等には、例えば、他の情報処理装置、外部記憶装置等が含まれる。
【００３８】
入力部１００８は、キーボード、ポインティングデバイス、ワイヤレスリモコン、タッチパネル等を含む。また、入力部１００８は、カメラのような映像や画像の入力装置や、マイクロフォンのような音声の入力装置を含むことができる。
【００３９】
出力部１０１０は、ＣＲＴ（Cathode Ray Tube）ディスプレイ、ＬＣＤ（Liquid Crystal Display）、ＰＤＰ（Plasma Display Panel）、ＥＬ（Electroluminescence）パネル
等の表示装置、プリンタ等の出力装置を含む。また、出力部１０１０は、スピーカのような音声の出力装置を含むことができる。
【００４０】
通信制御部１０１２は、他の装置と接続し、情報処理装置１０００と他の装置との間の通信を制御する。通信制御部１０１２は、例えば、ＬＡＮ（Local Area Network）インタフェースボード、無線通信のための無線通信回路、電話通信のための通信回路である。ＬＡＮインタフェースボードや無線通信回路は、インターネット等のネットワークに接続される。
【００４１】
ユーザ管理装置１００を実現するコンピュータは、プロセッサが二次記憶装置に記憶されているプログラムを主記憶装置にロードして実行することによって、認証部１１０、コンテンツ作成部１２０、アフィリエイト管理部１３０としての機能を実現する。一方、ユーザ情報ＤＢ１５０、ＩＰアドレス管理ＤＢ１６０、アフィリエイト管理ＤＢ１７０は、主記憶装置または二次記憶装置の記憶領域に設けられる。
【００４２】
（動作例）
〈認証〉
図４は、本実施形態の認証についての動作シーケンスの例を示す図である。図４の動作シーケンスは、中継端末２００とユーザ管理装置１００との間の動作例である。ここでは、ユーザ管理装置１００が、ネットワークへの接続を求める中継端末２００に対してネットワークへの接続を認証する。
【００４３】
ＳＱ０００１では、ネットワークへのアクセスを所望する中継端末２００は、ユーザ管理装置１００の認証部１１０に、ネットワークへの接続要求（認証要求）を送信する。接続要求には、中継端末２００のユーザのユーザＩＤおよびパスワードが含まれる。ユーザ管理装置１００の認証部１１０は、中継端末２００から接続要求を受信する。
【００４４】
ＳＱ０００２では、中継端末２００から接続要求を受信したユーザ管理装置１００の認
証部１１０は、中継端末２００のユーザについての認証処理を行う。認証処理は、中継端末２００のユーザが正規のユーザか否かを判定する処理である。中継端末２００のユーザが正規のユーザであると判定された場合、中継端末２００にＩＰアドレスが割り当てられる。中継端末２００は、割り当てられたＩＰアドレスを使用して、ネットワークに接続することができる。中継端末２００のユーザが正規のユーザでないと判定された場合、中継端末２００にＩＰアドレスは割り当てられない。
【００４５】
認証部１１０は、中継端末２００から受信したユーザＩＤに対応するパスワードを、ユーザ情報ＤＢ１５０のユーザ情報テーブルＴ１００から抽出する。
【００４６】
図５は、ユーザ情報テーブルの例を示す図である。ユーザ情報テーブルＴ１００は、ユーザ情報ＤＢ１５０に格納される。ユーザ情報テーブルＴ１００では、各ユーザのユーザＩＤとパスワードとが対応付けられて格納されている。図５のユーザ情報テーブルＴ１００の例では、ユーザＩＤ「ABC12345」に対してパスワード「abc123abc」が対応付けられ
ている。ユーザ情報テーブルＴ１００では、ユーザＩＤおよびパスワードとともに、ユーザの氏名や住所などのユーザの情報が格納されてもよい。
【００４７】
認証部１１０は、ユーザ情報テーブルＴ１００から抽出されたパスワードと、中継端末２００から受信したパスワードとを比較し、これらが同一であれば、中継端末２００のユーザを認証する。即ち、認証部１１０は、中継端末２００のユーザが正規のユーザであると判定する。認証部１１０は、ＩＰアドレス管理ＤＢ１６０のＩＰアドレス管理テーブルＴ２００から、現時点で、使用されていないＩＰアドレスを抽出する。ここで、抽出されるＩＰアドレスは、中継端末２００に割り当てられるＩＰアドレスである。ＩＰアドレスは、ネットワーク上の装置を識別するために指定される識別用の番号である。
【００４８】
図６は、ＩＰアドレス管理テーブルの例を示す図である。ＩＰアドレス管理テーブルＴ２００は、ＩＰアドレス管理ＤＢ１６０に格納される。ＩＰアドレス管理テーブルＴ２００は、認証部１１０が中継端末２００等に割り当てたＩＰアドレスを管理するテーブルである。ＩＰアドレス管理テーブルＴ２００には、中継端末２００等のユーザを識別するユーザＩＤ、割り当てたＩＰアドレス、割り当てを開始する時刻である開始時刻、割り当てを終了する時刻である終了時刻が、対応付けられて格納される。割り当てたＩＰアドレスは、ユーザ毎に管理される。１ユーザが複数の端末からユーザ管理装置１００に認証要求をした場合、端末毎にＩＰアドレスが割り当てられる。
【００４９】
ＳＱ０００３では、認証部１１０は、抽出したＩＰアドレスを中継端末２００に送信する。中継端末２００は、認証部１１０からＩＰアドレスを受信する。中継端末２００は、受信したＩＰアドレスを使用して、ネットワークと通信可能に接続する。
【００５０】
ＳＱ０００４では、認証部１１０は、ＩＰアドレス管理ＤＢ１６０のＩＰアドレス管理テーブルＴ２００に、中継端末２００のユーザのユーザＩＤ、割り当てたＩＰアドレス、開始時刻、終了時刻を対応付けて格納する。
【００５１】
以上により、中継端末２００のユーザの認証が行われ、中継端末２００にＩＰアドレスが割り当てられる。中継端末２００は、ＩＰアドレスを使用して、ネットワークと通信可能に接続することができる。
【００５２】
〈ＥＣサイトへのアクセス〉
図７および図８は、本実施形態のＥＣサイトへのアクセスの動作シーケンスの例を示す図である。図７の「Ａ」「Ｂ」「Ｃ」「Ｄ」は、それぞれ、図８の「Ａ」「Ｂ」「Ｃ」「Ｄ」と接続する。図７および図８の動作シーケンスは、端末３００とユーザ管理装置１０
０とＥＣサイトサーバ４００との間の動作例である。
【００５３】
ここでは、中継端末２００は、端末３００との間で通信可能に接続されているとする。また、端末３００は、中継端末２００を経由して、ネットワークに接続できる状態であるとする。このとき、端末３００は、中継端末２００の存在を意識することなくネットワークに接続される。ここの説明では、中継端末２００の記載を省略する。ネットワーク５００側から見た端末３００のＩＰアドレスは、中継端末２００に割り当てられたＩＰアドレスと同一である。端末３００のユーザと中継端末２００のユーザとは、同一であっても、相違してもよい。中継装置２００と端末３００との間では、他のアドレスが使用され得る。
【００５４】
ＳＱ１００１では、端末３００は、ウェブページ等のコンテンツ情報の要求（コンテンツ要求）を、ユーザ管理装置１００に、送信する。コンテンツ要求は、ウェブページ等のコンテンツを表示するための情報を送信することを要求するものである。ユーザ管理装置１００のコンテンツ作成部１１０は、端末３００から、コンテンツ要求を受信する。また、ユーザ管理装置１００のコンテンツ作成部１１０は、コンテンツ要求を送信した端末３００のＩＰアドレスを取得する。ユーザ管理装置１００のコンテンツ作成部１１０が取得する端末３００のＩＰアドレスは、中継端末２００に割り当てられているＩＰアドレスと同一である。従って、ユーザ管理装置１００は、端末３００のＩＰアドレスとして、中継端末２００のＩＰアドレスを取得する。
【００５５】
ＳＱ１００２では、コンテンツ作成部１１０は、アフィリエイト管理部１３０に端末３００のＩＰアドレスを送信する。コンテンツ作成部１１０は、コンテンツを作成する際に、端末３００のＩＰアドレスを割り当てられているユーザに対応するアフィリエイト識別子を取得するために、ＩＰアドレスをアフィリエイト管理部１３０に送信する。アフィリエイト識別子については、後述する。アフィリエイト管理部１３０は、コンテンツ作成部１１０は、端末３００のＩＰアドレスを受信する。
【００５６】
ＳＱ１００３では、アフィリエイト管理部１３０は、受信したＩＰアドレスを現時点で割り当てられているユーザのユーザＩＤを、ＩＰアドレス管理ＤＢ１６０から抽出する。さらに、アフィリエイト管理部１３０は、アフィリエイト管理ＤＢ１７０から、抽出されたユーザＩＤに対応するアフィリエイト識別子を抽出する。アフィリエイト識別子は、ＥＣサイトにおいて、広告等に対する報酬を管理するための識別子である。例えば、アフィリエイト識別子がユーザ毎に割り当てられることで、広告等に対する報酬がユーザ毎に管理され得る。
【００５７】
図９は、アフィリエイト識別子管理テーブルの例を示す図である。アフィリエイト識別子管理テーブルＴ３００は、アフィリエイト管理ＤＢ１７０に格納されている。アフィリエイト管理テーブルＴ３００では、ユーザＩＤとアフィリエイト識別子とが対応付けられて格納されている。図９のアフィリエイト識別子管理テーブルＴ３００では、ユーザＩＤ「ABC12345」に対してアフィリエイト識別子「nif0001」が対応付けられている。アフィ
リエイト識別子は、ＥＣサイトの提供者があらかじめユーザ管理装置１００に対して発行したものである。ＥＣサイトでは、アフィリエイト識別子単位で、広告等に対する報酬を管理し、報酬の支払いを行う。ユーザ管理装置１００には、ＥＣサイトから複数のアフィリエイト識別子が発行されている。ユーザ管理装置１００は、ユーザＩＤ毎に、あらかじめ、アフィリエイト識別子を割り当てている。このため、ユーザ管理装置１００が、ＥＣサイトから、アフィリエイト識別子単位で、報酬の通知を受けた場合、ユーザ毎に報酬を分配することができる。
【００５８】
ＳＱ１００４では、アフィリエイト管理部１３０は、抽出したアフィリエイト識別子を
、コンテンツ作成部１２０に送信する。コンテンツ作成部１２０は、アフィリエイト管理部１３０から、送信したＩＰアドレスを割り当てられているユーザのユーザＩＤに対応するアフィリエイト識別子を受信する。
【００５９】
ＳＱ１００５では、コンテンツ作成部１２０は、アフィリエイト管理部１３０から取得したアフィリエイト識別子を含むＥＣサイトへのリンクを含むウェブページ等のコンテンツの情報（コンテンツ情報）を作成する。
【００６０】
アフィリエイト識別子を含むＥＣサイトへのリンクは、例えば、「http://www.abcedfghij.com/index.html?afid=nif0001」のようになる。ここで、「http://www.abcedfghij.com/index.html」はＥＣサイトのアドレスであり、「afid」はアフィリエイト識別子を示
す文字列であり、「nif0001」はアフィリエイト識別子である。端末３００において当該
ＥＣサイトへのリンクが選択（クリック）されることで端末３００がＥＣサイトに接続され、アフィリエイト識別子がＥＣサイトにおいて取得される。他の方法により、アフィリエイト識別子がＥＣサイトへのリンクに含まれてもよい。
【００６１】
ＳＱ１００６では、コンテンツ作成部１２０は、作成したコンテンツ情報を端末３００に送信する。端末３００は、コンテンツ情報を受信する。
【００６２】
ＳＱ１００７では、端末３００は、コンテンツ情報に基づくウェブページ等を、端末３００の画面に、表示する。端末３００のユーザは、画面に表示されるウェブページ等を閲覧することができる。
【００６３】
ＳＱ１００８では、端末３００のユーザが、画面に表示されるウェブページ等の、アフィリエイト識別子を含むＥＣサイトへのリンクを選択すると、端末３００は、ＥＣサイトＷｅｂサーバ４００に、ＥＣサイトのコンテンツ要求を行う。当該コンテンツ要求には、アフィリエイト識別子が含まれる。ＥＣサイトサーバ４００は、アフィリエイト識別子を含むコンテンツ要求を受信する。
【００６４】
ＳＱ１００９では、ＥＣサイトサーバ４００は、受信したコンテンツ要求に含まれるアフィリエイト識別子を抽出し端末３００の情報（端末３００を識別する情報）とともに格納する。以後、端末３００からＥＣサイトサーバ４００によるＥＣサイトで商品等が購入された場合、当該購入と当該アフィリエイト識別子とが対応付けられて記憶される。
【００６５】
ＥＣサイトサーバ４００は、アフィリエイト識別子を、端末３００に、クッキー（Cookie）として格納してもよい。クッキーは、ウェブサイトのサーバがブラウザ等を通じてウェブサイトにアクセスした端末に一時的にデータを書き込んで保存させる仕組みである。クッキーとして格納されたデータは、ＥＣサイトサーバ４００によって使用され得る。ＥＣサイトサーバ４００は、端末３００がＥＣサイトにアクセスする毎に、クッキーとして格納されるアフィリエイト識別子を抽出し、端末３００からの商品等の購入とアフィリエイト識別子とを対応付けて記憶する。
【００６６】
ＳＱ１０１０では、アフィリエイト識別子を自身またはクッキーに記憶したＥＣサイトサーバ４００は、端末３００に、ＥＣサイトのコンテンツ情報を送信する。端末３００は、ＥＣサイトサーバ４００からＥＣサイトのコンテンツ情報を受信する。端末３００は、コンテンツ情報を受信すると、ＥＣサイトのウェブページ等を画面に表示する。端末３００のユーザは、画面に表示されるＥＣサイト等を閲覧して、端末３００によって、商品等の購入手続きを、ＥＣサイトサーバ４００との間で行う。
【００６７】
ＳＱ１０１１では、ＥＣサイトサーバ４００は、端末３００からの商品等の購入の記録
を、アフィリエイト識別子と対応付けて、記憶手段に格納する。ＥＣサイトサーバ４００は、商品等の購入の記録と共に、当該購入に対する報酬額（還元額）をアフィリエイト識別子と対応付けて格納する。例えば、報酬額は、購入額の５％である。報酬額は、これに限定されるものではない。
【００６８】
ＳＱ１０１２では、ＥＣサイトサーバ４００は、購入に対する報酬額をアフィリエイト識別子毎に集計し、記憶手段に格納する。ＥＣサイトサーバ４００は、所定期間毎に、集計を行ってもよい。
【００６９】
ＳＱ１０１３では、ＥＣサイトサーバ４００は、アフィリエイト識別子毎に集計された購入に対する報酬額の情報を、ユーザ管理装置１００のアフィリエイト管理部１３０に通知する。ユーザ管理装置１００のアフィリエイト管理部１３０は、ＥＣサイトサーバ４００から、アフィリエイト識別子毎に集計された購入に対する報酬額の情報を受信する。また、ＥＣサイトサーバ４００によるＥＣサイトの運営者は、ユーザ管理装置１００の運営者に対して、集計された報酬額に基づく報酬を支払う。
【００７０】
ＳＱ１０１４では、アフィリエイト管理部１３０は、アフィリエイト識別子毎に集計された報酬額の情報に含まれるアフィリエイト識別子に対応するユーザＩＤを、アフィリエイト管理ＤＢ１７０から抽出する。アフィリエイト管理部１３０は、報酬額の情報と、抽出したユーザＩＤとを対応付けて、報酬額管理テーブルＴ４００に格納する。
【００７１】
図１０は、報酬額管理テーブルの例を示す図である。図１０の報酬額管理テーブルＴ４００では、ユーザＩＤと、当該ユーザＩＤで示されるユーザに対する報酬額とが対応付けられて、格納されている。
【００７２】
ユーザ管理装置１００は、報酬額管理テーブルＴ４００に従って、各ユーザＩＤに対応するユーザに対して、報酬額を支払うことができる。ここでは、端末３００からの商品等の購入による報酬は、端末３００のネットワークへの接続を中継する中継端末２００のユーザに対して支払われる。
【００７３】
ユーザ管理装置１００の管理者が通信事業者であれば、報酬額に基づいて、中継端末２００のユーザの通信料の割引をしてもよい。
【００７４】
ここでは、端末３００から中継端末２００を介してユーザ管理装置１００にコンテンツ要求を行った場合について説明したが、端末３００代わりに中継端末２００からユーザ管理装置１００にコンテンツ要求を行った場合についても、同様である。これによって、端末３００からＥＣサイトのアクセスした場合でも、中継端末２００からＥＣサイトのアクセスした場合でも、アフィリエイト識別子として、中継端末２００のユーザのユーザＩＤに関連付けられるものが使用される。従って、端末３００からＥＣサイトのアクセスした場合でも、中継端末２００からＥＣサイトのアクセスした場合でも、アフィリエイトサービスによる報酬は、中継端末２００のユーザに対して支払われることになる。
【００７５】
ユーザＩＤとアフィリエイト識別子とを共通の識別子としてもよい。但し、ユーザＩＤは、中継端末３００のユーザがネットワークに接続するために使用する識別子であるため、ユーザＩＤがユーザ認証以外の他の用途に使用されることが好ましくない場合には、上記のように、別々の識別子とする。
【００７６】
（変形例１）
認証部１１０、コンテンツ作成部１２０、アフィリエイト管理部１３０は、それぞれ、独立した認証装置、コンテンツ作成装置、アフィリエイト管理装置として存在してもよい
。このとき、各装置はそれぞれネットワーク５００に通信可能に接続される。また、認証装置は、ユーザ情報ＤＢ１５０およびＩＰアドレス管理ＤＢ１６０を含み、アフィリエイト管理装置は、アフィリエイト管理ＤＢ１７０を含む。
【００７７】
（変形例２）
認証の際、中継端末２００は、中継端末２００が有するＳＩＭカードに書き込まれた電話番号によって、ユーザ管理装置１００の認証部１１０で認証されてもよい。このとき、ユーザ情報テーブルＴ１００には、あらかじめ、ユーザＩＤと電話番号とが対応付けられて格納される。ユーザ管理装置１００の認証部１１０は、中継端末２００から送信された電話番号が、ユーザ情報テーブルＴ１００に含まれる電話番号であるか否かを判定することにより、認証処理を行う。認証処理において、中継端末２００のＳＩＭカードに書き込まれた電話番号が使用されることで、中継端末２００の利用者は、認証の際にパスワードを入力しなくてもよい。
【００７８】
（変形例３）
コンテンツ作成部１２０が作成するコンテンツ情報には、ＥＣサイトへのリンクの代わりに、アフィリエイトサービスプロバイダ（ＡＳＰ）のサイトへのリンクが含まれてもよい。当該リンクには、ＡＳＰによるアフィリエイト識別子が含まれる。アフィリエイト識別子は、ＡＳＰによってユーザ管理装置１００に対して発行される。このとき、端末３００は、ＡＳＰのサイトへのリンクが選択（クリック）されると、ＡＳＰのサイトからＥＣサイトに転送されて接続されるようになる。このとき、ＥＣサイトでの商品等の購入に対する報酬は、ＡＳＰによって、アフィリエイト識別子毎に管理される。ＥＣサイトからの報酬は、ＡＳＰを介してユーザ管理装置１００の管理者に支払われる。ＥＣサイトやＡＳＰのサイトは、電子商取引サイトに関するサイトの例である。
各変形例は、他の変形例などと可能な限り組み合わせられ得る。
【００７９】
（実施形態の作用、効果）
ユーザ管理装置１００は、中継端末２００に対するネットワークへの接続を認証する際、中継端末２００にＩＰアドレスを割り当てる。中継端末２００に通信可能に接続される端末３００は、中継端末２００を介して、ネットワークに通信可能に接続することができる。ネットワーク側から見た端末３００のＩＰアドレスは、中継端末２００のＩＰアドレスと同じである。
【００８０】
ユーザ管理装置１００は、端末３００からの要求により、ＩＰアドレスに対応するユーザＩＤに紐付けられるアフィリエイト識別子を含むＥＣサイトへのリンクを含むコンテンツ情報を作成し、端末３００に送信する。端末３００において、当該リンクが選択（クリック）されると、ＥＣサイトに接続され、当該リンクに含まれるアフィリエイト識別子がＥＣサイトにおいて取得される。以後、ＥＣサイトにおける端末３００による取引（商品等の購入等）の情報（取引に対する報酬の情報など）は、当該アフィリエイト識別子に紐付けられて、ＥＣサイトサーバ４００に蓄積される。ＥＣサイトサーバ４００では、アフィリエイト識別子毎に、取引に対する報酬等を集計して、ユーザ管理装置１００に通知する。ユーザ管理装置１００は、ＥＣサイトサーバ４００がアフィリエイト識別子を発行した相手先である。ユーザ管理装置１００は、アフィリエイト識別子に対応するユーザＩＤを抽出し、ユーザＩＤと報酬の情報とを対応付ける。
【００８１】
本実施形態では、中継端末２００を介したＥＣサイトの利用の際に、中継端末２００のユーザのユーザＩＤに紐付けられる情報（アフィリエイト識別子）を、ＥＣサイトでの取引（買い物等）の際に通知する。ＥＣサイトでは、アフィリエイト識別子毎に取引などに対する報酬額を集計し、報酬を支払う。これにより、当該中継端末２００からＥＣサイトで買い物する際、または、中継端末２００によるテザリングを介してＥＣサイトで買い物
する際に、どのアカウントで買い物をしても、中継端末３００（のユーザ）に対してアフィリエイトサービスによる報酬を支払うようにできる。
【符号の説明】
【００８２】
１０      システム
１００      ユーザ管理装置
１１０        認証部
１２０        コンテンツ作成部
１３０        アフィリエイト管理部
１５０        ユーザ情報ＤＢ
１６０        ＩＰアドレス管理ＤＢ
１７０        アフィリエイト管理ＤＢ
２００      中継端末
３００      端末
４００      ＥＣサイトサーバ
５００      ネットワーク
１０００      情報処理装置
１００２        プロセッサ
１００４        メモリ
１００６        記憶部
１００８        入力部
１０１０        出力部
１０１２        通信制御部
【図１】
2016071404.tif 000003
【図２】
2016071404.tif 000004
【図３】
2016071404.tif 000005
【図４】
2016071404.tif 000006
【図５】
2016071404.tif 000007
【図６】
2016071404.tif 000008
【図７】
2016071404.tif 000009
【図８】
2016071404.tif 000010
【図９】
2016071404.tif 000011
【図１０】
2016071404.tif 000012